(57)【要約】【課題】  ユーザが使用を制限しているような状態でアプリケーション起動を指示する  SMS通知を受けた場合に、特定のアプリケーションが不測に起動されないようにする。  【解決手段】  制御部１３は、アンテナ１１、無線部１２を介してSMS通知を受けると、SMS ランチャー１９１を起動してSMS通知に含まれるアプリケーション情報を解析し起動の可否を判定する。即ち、SMS通知に含まれるアプリケーション情報とデータベース２０１のアプリケーション情報と起動可否情報とを照合することにより、マナーモード中におけるそのアプリケーションのON/OFFを判定する。判定結果がマナーモードで自動起動ONであれば、起動処理を行い、マナーモードで自動起動OFFであれば、起動無効処理を行うと共に、表示部１７で表示を行う。【選択図】        図２
2005109998.tif 000002
【特許請求の範囲】
【請求項１】
複数のアプリケーションを保有するアプリケーション保有手段と、
特定のアプリケーションの起動指示と該アプリケーションの情報を含む通知を受信する受信手段と、
前記保有するアプリケーション毎に、前記アプリケーション情報と前記起動指示によるアプリケーションの起動の可否を示す情報とを記憶する記憶手段と、
前記受信手段がアプリケーションの起動を指定する通知を受信した場合、該通知に含まれるアプリケーション情報と前記記憶手段におけるアプリケーションの起動の可否を示す情報とを照合することにより当該アプリケーションの起動の可否を判定する判定手段と、
前記判定手段の判定結果に基づいて当該アプリケーションの起動を制御する制御手段とを備えたことを特徴とする携帯通信端末。
【請求項２】
前記記憶手段は、携帯通信端末の状態に基づく前記起動指示によるアプリケーションの起動の可否を示す情報を記憶し、
前記判定手段は、携帯通信端末の状態と前記記憶手段の情報に基づいて、アプリケーションの起動の可否を判定することを特徴とする請求項１記載の携帯通信端末。
【請求項３】
前記携帯通信端末の状態とは、マナーモード、ドライブモード、省エネモード、サイレントモードのいずれかであることを特徴とする請求項２記載の携帯通信端末。
【請求項４】
前記判定手段が、アプリケーションの起動不可を判定したことを報知する報知手段を設けたことを特徴とする請求項１，２又は３記載の携帯通信端末。
【請求項５】
特定のアプリケーションの起動指示と該アプリケーションの情報を含む通知を受信する受信処理と、
前記受信処理により、アプリケーションの起動を指示する通知を受信した場合、該通知に含まれるアプリケーション情報と、記憶手段に記憶された前記起動の指示によるアプリケーションの起動の可否を示す情報とを照合することにより当該アプリケーションの起動の可否を判定する判定処理と、
前記判定処理の判定結果に基づいてアプリケーションの起動を制御する制御処理とをコンピュータに実行させるプログラム。
【請求項６】
請求項４記載のプログラムを記録したコンピュータ読み取り可能な記録媒体。
【発明の詳細な説明】
【技術分野】
【０００１】
本発明は、受信したメッセージに含まれるアプリケーションの起動指示に基づいてアプリケーションが起動される携帯通信端末、この携帯通信端末で用いられるプログラム、及びこのプログラムを記録した記録媒体に関するものである。
【背景技術】
【０００２】
従来より、プッシュ型メッセージと呼ばれる短いメッセージを送受信する方式（以下の説明においてはSMS（Short Message Service）という）がある。SMSでは、サーバから受信側端末に対してページングチャンネルと呼ばれる制御チャンネルを利用してメッセージが送信される。
また従来より、他の携帯通信端末やＰＣ等の端末から上記SMSメッセージを利用して、携帯電話機等の携帯通信端末が保有しているカメラ、プレイヤー等の機能を動作させるため特定のアプリケーションを指定し、そのアプリケーションを自動的に起動するようにしたアプリケーション自動起動システムがある。
【０００３】
このようなアプリケーション自動起動システムとして、携帯電話機がプッシュ型のSMSを受けて地図をダウンロードすることが可能な地図情報提供システムが提案されている。  また、SMSについては下記の特許文献１に開示されている。
【特許文献１】特開２００２−３２００２５号公報
【０００４】
しかしながら、上記従来技術においては、マナーモードやドライブモードのような携帯通信端末の機能が制限されている状態においても、SMS通知を受けると無条件にアプリケーションが起動されてしまい、例えば着信音が鳴ってしまう等の問題があった。
【０００５】
図６はマナーモード時のSMS通知実行時の従来の表示画面例を示す。
図６（a）の待受け表示中にSMS通知があると、従来ではマナーモードであってもなくても、無条件にアプリケーションが起動されるので、図６（b）のようなアプリケーションの起動表示がなされる。
【発明の開示】
【発明が解決しようとする課題】
【０００６】
本発明は、機能が制限されている状態でSMS通知（メッセージ）を受けた場合でも、特定のアプリケーションが不測に起動されないようにすることを課題とする。
【課題を解決するための手段】
【０００７】
本発明の携帯通信端末は、複数のアプリケーションを保有するアプリケーション保有手段と、特定のアプリケーションの起動指示と該アプリケーションの情報を含む通知を受信する受信手段と、 前記保有するアプリケーション毎に、前記アプリケーション情報と前記起動指示によるアプリケーションの起動の可否を示す情報とを記憶する記憶手段と、 前記受信手段がアプリケーションの起動を指定する通知を受信した場合、該通知に含まれるアプリケーション情報と前記記憶手段におけるアプリケーションの起動の可否を示す情報とを照合することにより当該アプリケーションの起動の可否を判定する判定手段と、 前記判定手段の判定結果に基づいて当該アプリケーションの起動を制御する制御手段とを備えたことを特徴とするものである。
【０００８】
また、本発明によるプログラムは、特定のアプリケーションの起動指示と該アプリケーションの情報を含む通知を受信する受信処理と、前記受信処理により、アプリケーションの起動を指示する通知を受信した場合、該通知に含まれるアプリケーション情報と、記憶手段に記憶された前記起動の指示による起動の可否を示す情報とを照合することにより当該アプリケーションの起動の可否を判定する判定処理と、前記判定処理の判定結果に基づいてアプリケーションの起動を制御する制御処理とをコンピュータに実行させるようにしたものである。
また、本発明によるコンピュータ読み取り可能な記録媒体は、上記プログラムを記録したものである。
【発明の効果】
【０００９】
本発明によれば、マナーモードのようなユーザが使用を制限しているような状態でアプリケーション起動用SMS通知を受けた場合でも、特定のアプリケーションが起動されないようにすることができる。
【発明を実施するための最良の形態】
【００１０】
本発明は、SMS通知（メッセージ）に含まれるアプリケーション情報と携帯通信端末の状態に基づいてアプリケーションの起動の可否を判定することにより、携帯通信端末の状態によって起動を制限されているアプリケーションは起動しないようにした。
【実施例】
【００１１】
図１は本発明の実施例によるアプリケーション自動起動システムの構成図である。
図１は、cdma2000 1xと1xEVDOとを併せ持つハイブリッド携帯端末等の携帯端末１に対して、他の携帯端末２又はPC３からアプリケーション起動のためのプッシュ型のSMS通知を行う場合のネットワーク構成を示す。
携帯端末２から通知を行う場合は、cdma2000 1x基地局４、交換局５を介してインターネット網等の電話回線網６を経由し、さらに交換局７、基地局８を介して行われる。また、PC３から通知を行う場合は、インターネット網（IP網）９、ゲートウェイ（G.W.）１０、交換局７、基地局８を介して行われる。また、携帯端末１とPC３の高速パケット通信は、IP網９、交換局１１、基地局１２を介して行われる。
【００１２】
図２は本発明の実施例による携帯通信端末の構成を示すブロック図である。
図２において、ROM部１９にあるSMS ランチャー１９１は、携帯端末２又はPC３からのSMS通知に含まれるアプリケーション情報を解析して、マナーモードの場合にアプリケーションの起動の可否を判定する判定手段を備えている。
また、ＲＡＭ部２０にあるアプリケーション部２０２には、複数のアプリケーションが格納されている。また、ＲＡＭ部２０にあるDB（データベース）２０１には、上記判定に必要なアプリケーション情報と自動起動の可否を示す情報とが各アプリケーション毎に格納されている。
【００１３】
携帯通信端末には、そのほかに通常の携帯電話機能等のための音声処理部１４、送話部１５、受話部１６、表示部１７、操作部１８等が設けられている。また、ROM部１９には制御部１３のCPUのプログラム等が格納されている。
【００１４】
図３はSMS ランチャー１９１における判定手段がアプリケーション情報を解析して、判定するのに必要なデータベース２０１の構成例を示す。
図３において、Ａ列は携帯端末１に搭載されているアプリケーションの番号を示し、Ｂ列はそのアプリケーション名を示す。Ｃ列は通常運用時の自動起動設定のON/OFF種別を示し、Ｄ列はマナーモード時の自動起動設定のON/OFF種別を示す。但し、ON/OFFは、自動起動する／自動起動しないとする。これらのデータがアプリケーション毎に（ここでは、０１〜１０）格納されている。
【００１５】
例えば、アプリケーション番号０１に登録されたプレイヤーアプリケーションは、通常運用時には自動起動設定ONで起動されるが、マナーモード時には自動起動設定OFFで起動されない。これは、マナーモードの場合に自動起動の制限をかけたいアプリケーションに有効である。
また、アプリケーション番号１０に登録されたGPSアプリケーションは、通常運用時には自動起動設定ONで起動されるが、マナーモード時には自動起動設定ONで起動される。これは、マナーモードの場合に自動起動の制限をかけたくないアプリケーションに有効である。
【００１６】
次に、上記構成による動作について図４のフローチャートと共に説明する。
制御部１３は、アンテナ１１、無線部１２を介してSMS通知を受けると、SMS ランチャー１９１を起動してSMS通知に含まれるアプリケーション情報を解析する（S1）。即ち、SMS通知に含まれるアプリケーション情報とデータベース２０１の各情報とを照合し、アプリケーション情報が一致したものについて図３のD列に基づいてマナーモード中におけるそのアプリケーションのON/OFFを判定する（S2）。また、携帯通信端末が現在マナーモードであるかを判定し、マナーモードで自動起動ONであれば、起動処理を行い（S3）、マナーモードで自動起動OFFであれば、起動無効処理を行うと共に、表示部１７で表示を行う（S4）。
【００１７】
図５はマナーモード時のSMS通知実行時の本実施例による表示画面例を示す。
図５（a）の待受け表示中にSMS通知があり、マナーモードの場合に、前記判定結果に応じて、アプリケーションの起動ができなかったときは、図５（b）のようにタイムスタンプと理由表示を含むSMS通知によるアプリ自動起動結果をポップアップ表示又は全画面表示により行い、ユーザにその旨を知らせる。また、同時に着信ランプの点滅パターンによってユーザにその旨を知らせてもよい。
【００１８】
尚、判定結果が起動不可の場合、所定時間後に再度判定を行い、マナーモードが解除されていたら起動可としてもよく、あるいは所定時間内にマナーモードが解除されたら、起動可としてもよい。
【００１９】
本実施例は、マナーモード時におけるアプリケーション起動の可否について説明したが、マナーモードの外に例えば、音や光等が出て周囲に迷惑かからないようにする等のモード（状態）、例えば、ドライブモード、省エネモード、サイレントモード等のような、携帯通信端末の何らかの機能が制限されるモードにおけるアプリケーション起動の可否についてであってでもよい。また、上記モード中の自動起動設定はＯＦＦまたはＯＮのみの設定でも良い。ＯＦＦのみの設定の場合、設定をしなければモード中は自動起動し、ＯＮのみの設定の場合、設定しない時はモード中は自動起動しないように動作する。
【００２０】
次に、本実施例によるプログラム及びこのプログラムを記録する記録媒体について説明する。
前述した動作に基づく処理及びフローチャートに示す処理を、本発明による携帯通信端末におけるコンピュータシステムのＣＰＵが実行するためのプログラムは、本発明によるプログラムを構成する。
【００２１】
また、このプログラムを記録するための記録媒体は、本発明によるコンピュータ読み取り可能な記録媒体を構成する。この記録媒体としては、光磁気ディスク、光ディスク、半導体メモリ、磁気記録媒体等を用いることができ、これらをROM,RAM,CD−ROM,フレキシブル・ディスク、メモリカード等に構成して用いてよい。
【００２２】
またこの記録媒体は、インターネット等のネットワークや電話回線等の通信回線を介してプログラムが送信された場合のサーバやクライアントとなるコンピュータシステム内部のＲＡＭ等の揮発性メモリのように、一定時間プログラムを保持するものも含まれる。
【００２３】
また上記プログラムは、このプログラムを記憶装置等に格納したコンピュータシステムから伝送媒体を介して、あるいは伝送媒体中の伝送波により他のコンピュータシステムに伝送されるものであってよい。上記伝送媒体とは、インターネット等のネットワーク（通信網）や電話回線等の通信回線（通信線）のように、情報を伝送する機能を有する媒体をいうものとする。
【００２４】
また上記プログラムは、前述した機能の一部を実現するためであってもよい。さらに、前述した機能をコンピュータシステムに既に記録されているプログラムとの組み合わせで実現できるもの、いわゆる差分ファイル（差分プログラム）であってもよい。
【００２５】
従って、このプログラム及び記録媒体を図２のシステム又は装置とは異なるシステム又は装置において用い、そのシステム又は装置のコンピュータがこのプログラムを実行することによっても、各実施例で説明した機能及び効果と同等の機能及び効果を得ることができ、本発明の課題を解決することができる。
【図面の簡単な説明】
【００２６】
【図１】本発明の実施例によるアプリケーション自動起動システムを示す構成図である。
【図２】本発明の実施例による携帯通信端末の構成を示すブロック図である。
【図３】データベースの構成例を示す構成図である。
【図４】動作を示すフローチャートである。
【図５】マナーモード時のSMS通知実行時の本発明の実施例による表示画面例を示す構成図である。
【図６】マナーモード時のSMS通知実行時の従来の表示画面例を示す構成図である。
【符号の説明】
【００２７】
１  携帯通信端末
２  他の携帯通信端末
３  PC
１２  無線部
１３  制御部
１７  表示部
２０  RAM部
２０１  データベース  
２０２  アプリケーション部
１９  ROM部
１９１  SMS ランチャー
【図１】
2005109998.tif 000003
【図２】
2005109998.tif 000004
【図３】
2005109998.tif 000005
【図４】
2005109998.tif 000006
【図５】
2005109998.tif 000007
【図６】
2005109998.tif 000008